(57)【特許請求の範囲】
【請求項１】
複数の磁極テイースが周方向に所定の間隔を介し内側に突出して形成される環状のステータコアと、上記各磁極テイースに巻枠を介してそれぞれ集中して巻回された巻線と、上記ステータコアの端部に沿って同心円形状に配設され同相として並列接続された上記各巻線の一端側の端部同士をそれぞれ接続する複数の第１の接続導体と、上記各第１の接続導体と同心円形状に配設され同相として並列接続された上記各巻線の他端側の端部同士をそれぞれ接続する第２の接続導体とを備え、上記第１および第２の各接続導体の各両端部を上記ステータコアの周方向所定の位置から径方向に折曲させ所定の間隔を介して順次外方に延出させるようにしたことを特徴とする回転電機の固定子。
【請求項２】
第１および第２の各接続導体は巻線の巻回されている領域に対応して配設されていることを特徴とする請求項１記載の回転電機の固定子。
【請求項３】
第１および第２の各接続導体は周方向に所定の間隔で配置される絶縁保持部材により保持されていることを特徴とする請求項１または２記載の回転電機の固定子。
【請求項４】
絶縁保持部材は巻線が巻回される巻枠に係止されていることを特徴とする請求項３記載の回転電機の固定子。
【請求項５】
第１および第２の各接続導体と各巻線の端部との接続は絶縁保持部材内で行われることを特徴とする請求項３または４記載の回転電機の固定子。
【請求項６】
絶縁保持部材の第１および第２の各接続導体と各巻線の端部との接続部分には不織布が貼付されていることを特徴とする請求項５記載の回転電機の固定子。
【請求項７】
第１および第２の各接続導体は絶縁糸で巻枠に結束されてることを特徴とする請求項１記載の回転電機の固定子。
【発明の詳細な説明】
【０００１】
【発明の属する技術分野】
この発明は、インナロータ型回転電機の固定子に係り、特に、巻線の機外との電気的な接続が行われる接続構造に関するものである。
【０００２】
【従来の技術】
図６は例えば特開平１０−２４８１８７号公報に示された従来の回転電機の固定子の概略構成を示す図である。
図において、１は複数の磁極テイース１ａが周方向に所定の間隔を介し内側に突出して形成された環状のステータコア、２は各磁極テイース１ａにそれぞれ集中して巻回された巻線、３、４、５はステータコア１の端部に沿って同心円形状に配設され、各巻線２の同相（Ｕ、Ｖ、Ｗ相）分の一端側の端部同士をそれぞれ接続する第１の接続導体、６は各第１の接続導体３、４、５と同心円形状に配設され、各巻線２の他端側の端部同士をそれぞれ接続する第２の接続導体で、第１および第２の各接続導体３、４、５、６からは、径方向外側に向かって機外へ電気的に取り出すための導出導体３ａ、４ａ、５ａ、６ａが延出されている。
【０００３】
従来の回転電機の固定子は上記のように、各巻線２の例えばＵ相分の一端側を第１の接続導体３に、Ｖ相分の一端側を第１の接続導体４に、Ｗ相分の一端側を第１の接続導体５にそれぞれ接続して電気的にまとめるとともに、各巻線２のコモン側を第２の接続導体６に接続し、各導出導体３ａ、４ａ、５ａ、６ａを介して機外に取り出し、外部機器と電気的に接続されている。
【０００４】
【発明が解決しようとする課題】
従来の回転電機の固定子は以上のように構成され、各巻線２の各相分の一端側がそれぞれ接続された各第１の接続導体３、４、５、および各巻線２の他端側がまとめて接続された第２の接続導体６から、各導出導体３ａ、４ａ、５ａ、６ａを介して機外に取り出すようにしているので、図からも明らかなように、導出導体４ａは第１の接続導体３を、導出導体５ａは第１の接続導体３、４を、又、導出導体６ａは第１の接続導体３、４、５をそれぞれ跨いで径方向外側に導出されるため、跨いだ部分が軸方向に突出して薄形化を妨げるという問題点があった。
【０００５】
この発明は上記のような問題点を解消するためになされたもので、薄形化を図ることが可能な回転電機の固定子を提供することを目的とするものである。
【０００６】
【課題を解決するための手段】
この発明の請求項１に係る回転電機の固定子は、複数の磁極テイースが周方向に所定の間隔を介し内側に突出して形成される環状のステータコアと、各磁極テイースに巻枠を介してそれぞれ集中して巻回された巻線と、ステータコアの端部に沿って同心円形状に配設され同相として並列接続された各巻線の一端側の端部同士をそれぞれ接続する複数の第１の接続導体と、各第１の接続導体と同心円形状に配設され同相として並列接続された各巻線の他端側の端部同士をそれぞれ接続する第２の接続導体とを備え、第１および第２の各接続導体の各両端部をステータコアの周方向所定の位置から径方向に折曲させ所定の間隔を介して順次外方に延出させるようにしたものである。
【０００７】
又、この発明の請求項２に係る回転電機の固定子は、請求項１において、第１および第２の各接続導体を、巻線の巻回されている領域に対応して配設するようにしたものである。
【０００８】
又、この発明の請求項３に係る回転電機の固定子は、請求項１または２において、第１および第２の各接続導体を、周方向に所定の間隔で配置される絶縁保持部材で保持するようにしたものである。
【０００９】
又、この発明の請求項４に係る回転電機の固定子は、請求項３において、絶縁保持部材を巻線が巻回される巻枠に係止するようにしたものである。
【００１０】
又、この発明の請求項５に係る回転電機の固定子は、請求項３または４において、第１および第２の各接続導体と各巻線の端部との接続を絶縁保持部材内で行うようにしたものである。
【００１１】
又、この発明の請求項６に係る回転電機の固定子は、請求項５において、絶縁保持部材の第１および第２の各接続導体と各巻線の端部との接続部分に不織布を貼付するようにしたものである。
【００１２】
又、この発明の請求項７に係る回転電機の固定子は、請求項１において、第１および第２の各接続導体を絶縁糸で巻枠に結束するようにしたものである。
【００１３】
【発明の実施の形態】
実施の形態１．
以下、この発明の実施の形態を図に基づいて説明する。図１はこの発明の実施の形態１における回転電機の固定子の概略構成を示す平面図、図２は図１における回転電機の固定子の巻線と各接続導体の接続を示す結線図、図３は図１における回転電機の固定子の要部の構成を示す平面図、図４は図３における線ＩＶ−ＩＶに沿った断面を示す断面図、図５は図４におけるカバー、絶縁保持部材および巻枠の構成を示す斜視図である。
【００１４】
図において、１１は複数の磁極テイース１１ａが周方向に所定の間隔を介し、内側に突出して形成された環状のステータコア、１２は各磁極テイース１１ａに後述の巻枠を介しそれぞれ集中して巻回された巻線、１３は図５に示すように断面Ｕ字状に形成された胴部１３ａと、この胴部１３ａの両側に形成された一対の端板１３ｂ、１３ｃとで構成され絶縁部材でなる巻枠で、胴部１３ａの内側で各磁極テイース１１ａを挟むようにそれぞれ上下に一対ずつ配置され、巻線１２は両巻枠１３の各胴部１３ａの外側に沿って巻回されている。そして、一方の端板１３ｂにはこの巻線１２の端部に接続される後述のリード線を通すための切り欠き１３ｄが、又、他方の端板１３ｃには後述の絶縁保持部材の突起部が嵌合される切り欠き１３ｅがそれぞれ形成されている。
【００１５】
１４は図５に示すように上方に幅方向に所定の間隔を介して４本の溝１４ａが形成され、一端に折り曲げによりそれぞれ上下に開口する溝１４ｂ、１４ｃが、又、他側には突起部１４ｄがそれぞれ形成された絶縁保持部材で、一側の溝１４ｃおよび他側の突起部１４ｄが、巻枠１３の端板１３ｂおよび端板１３ｃの切り欠き１３ｅにそれぞれ嵌合することにより巻枠１３に係合され、周方向所定の位置に複数個配置されている。１５は図５に示すように絶縁保持部材１４の上部に係止されるカバーで、一側に絶縁保持部材１４の溝１４ｂを覆う縁部１５ａが形成されている。
【００１６】
１６は絶縁保持部材１４の両溝１４ａ、１４ｂの内面に貼付される不織布、１７、１８、１９はステータコア１１の端部に沿い、巻線１２の巻回されている領域に対応して同心円形状に配設される第１の接続導体、２０はこれら各第１の接続導体の外側にこれらと同心円形状に配設される第２の接続導体で、これら第１および第２の接続導体１７、１８、１９、２０は周方向所定の位置に配置された各絶縁保持部材１４の各溝１４ａ内に不織布１６を介して保持され、両端部は図１に示すように、ステータコア１１の周方向所定の位置から径方向に折曲され、所定の間隔を介して順次外方に延出されている。
【００１７】
又、各巻線１２は例えばこの実施の形態１の場合には、図２に示すように６個ずつが並列接続されてそれぞれＵ、Ｖ、Ｗ相を形成し、それぞれ同相として並列接続される各巻線１２の一端側の端部は、Ｕ相の場合は第１の接続導体１７、Ｖ相の場合は第１の接続導体１８、Ｗ相の場合は第１の接続導体１９に、又、中性点側に接続される他端側の端部は、それぞれ第２の接続導体２０に、図３および図４にその一部を示すように、リード線２１、２２を介して絶縁保持部材１４の両溝１４ａ、１４ｂ内において、不織布１６で絶縁されそれぞれ接続されている。
【００１８】
そして最後に、絶縁保持部材１４の上部にカバー１５を被せて、各溝１４ａ、１４ｂを覆った後、絶縁糸２３を巻枠１３の胴部１３ａの内側を介して一端側から他端側に導き、他端側で折り返してカバー１５の上面に沿って元の一端側へ戻し、これを数回繰り返すことにより絶縁保持部材１４およびカバー１５を巻枠１３に緊縛して、各接続導体１７、１８、１９および各リード線２１、２２を絶縁保持部材１４内に固定して保持する。
【００１９】
このように上記実施の形態１によれば、お互いに同心円形状に配置され、同相として並列接続される各巻線１２の一端側の端部同士が、それぞれ接続される第１の接続導体１７、１８、１９と、上記各巻線１２の他端側の端部同士がそれぞれ接続される第２の接続導体２０の各両端部を、ステータコア１１の周方向の所定の位置から径方向に折曲させ、所定の間隔を介して順次外方に延出させるようにしたので、各接続導体１７、１８、１９、２０同士を交差させることなく、すなわち跨がせることなく外方に導出させることができるようになるため、軸方向に突出することもなく薄形化が可能になる。
【００２０】
又、第１および第２の各接続導体１７、１８、１９、２０を、巻線１２が巻回される領域に対応して配設するようにしているので、さらに軸方向への突出を防止することができ、又、第１および第２の各接続導体１７、１８、１９、２０を絶縁保持部材１４内で保持するようにしているので、安定した固定が可能となり、絶縁糸２３で緊縛することによりさらに信頼性の向上を図ることができ、又、絶縁保持部材１４を巻枠に係止できるようにしているので、組立作業性の向上を図ることができる。
【００２１】
又、第１および第２の各接続導体１７、１８、１９、２０と、各巻線１２との間を接続するリード線２１、２２の接続を、絶縁保持部材１４内で行ってリード線２１、２２が露出しないようにしているので、美観を損なうこともなく、さらに又、リード線２１、２２が接続される絶縁保持部材１４の各溝１４ａ、１４ｂの内面には、不織布１６が貼付されているので、接続部に絶縁のための樹脂を塗布する際に、この樹脂が不織布１６内に浸漬されて、さらに絶縁性の向上を図ることができる。
【００２２】
【発明の効果】
以上のように、この発明の請求項１によれば、複数の磁極テイースが周方向に所定の間隔を介し内側に突出して形成される環状のステータコアと、各磁極テイースに巻枠を介してそれぞれ集中して巻回された巻線と、ステータコアの端部に沿って同心円形状に配設され同相として並列接続された各巻線の一端側の端部同士をそれぞれ接続する複数の第１の接続導体と、各第１の接続導体と同心円形状に配設され同相として並列接続された各巻線の他端側の端部同士をそれぞれ接続する第２の接続導体とを備え、第１および第２の各接続導体の各両端部をステータコアの周方向所定の位置から径方向に折曲させ所定の間隔を介して順次外方に延出させるようにしたので、薄形化を図ることが可能な回転電機の固定子を提供することができる。
【００２３】
又、この発明の請求項２によれば、請求項１において、第１および第２の各接続導体を、巻線の巻回されている領域に対応して配設するようにしたので、さらに薄形化を図ることが可能な回転電機の固定子を提供することができる。
【００２４】
又、この発明の請求項３によれば、請求項１または２において、第１および第２の各接続導体を、周方向に所定の間隔で配置される絶縁保持部材で保持するようにしたので、薄形化は勿論のこと、信頼性の向上を図ることが可能な回転電機の固定子を提供することができる。
【００２５】
又、この発明の請求項４によれば、請求項３において、絶縁保持部材を巻線が巻回される巻枠に係止するようにしたので、信頼性の向上は勿論のこと、組立作業性の向上を図ることが可能な回転電機の固定子を提供することができる。
【００２６】
又、この発明の請求項５によれば、請求項３または４において、第１および第２の各接続導体と各巻線の端部との接続を絶縁保持部材内で行うようにしたので、さらに信頼性の向上を図ることが可能な回転電機の固定子を提供することができる。
【００２７】
又、この発明の請求項６によれば、請求項５において、絶縁保持部材の第１および第２の各接続導体と各巻線の端部との接続部分に不織布を貼付するようにしたので、信頼性の向上は勿論のこと、絶縁性の向上を図ることが可能な回転電機の固定子を提供することができる。
【００２８】
又、この発明の請求項７によれば、請求項１において、第１および第２の各接続導体を絶縁糸で巻枠に結束するようにしたので、薄形化は勿論のこと、さらに信頼性の向上を図ることが可能な回転電機の固定子を提供することができる。
【図面の簡単な説明】
【図１】この発明の実施の形態１における回転電機の固定子の概略構成を示す平面図である。
【図２】図１における回転電機の固定子の巻線と各接続導体の接続を示す結線図である。
【図３】図１における回転電機の固定子の要部の構成を示す平面図である。
【図４】図３における線ＩＶ−ＩＶに沿った断面を示す断面図である。
【図５】図４におけるカバー、絶縁保持具および巻枠の構成を示す斜視図である。
【図６】従来の回転電機の固定子の概略構成を示す平面図である。
【符号の説明】
１１  ステータコア、１１ａ  磁極テイース、１２  巻線、１３  巻枠、
１４  絶縁保持部材、１６  不織布、１７，１８，１９  第１の接続導体、
２０  第２の接続導体、２１，２２  リード線、２３  絶縁糸。
【図１】
0003559233.tif 000002
【図２】
0003559233.tif 000003
【図３】
0003559233.tif 000004
【図４】
0003559233.tif 000005
【図５】
0003559233.tif 000006
【図６】
0003559233.tif 000007